(57)【要約】      （修正有）【課題】建造物の内部において敷設されている既存の誘導ブロックを有効に利用しつつも、簡素な設置工程で、建造物における最短距離の出入口への適切な誘導作用を得ることができる建造物内の誘導床材敷設構造における付加式避難誘導指示具を提供する。【解決手段】建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方、これらの列成されたガイドスラット部材Ａの間または一端部に付加的に設置することによって避難方向を指示することができる付加チップ１であって、先端部の周縁形状を逓次的に縮幅して尖頭を形成する一方、他端部の周縁形状を切断状または円弧状に形成し、この付加チップ１を、前記各ガイドスラット部材Ａの間または一端部に、尖頭が誘導方向を指すように載置固定する。【選択図】図５
0003148930.tif 000002
【実用新案登録請求の範囲】
【請求項１】
建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方、これらの列成されたガイドスラット部材Ａの間に付加的に設置することによって避難方向を指示することができる付加チップ１であって、
この付加チップ１は、先端部11の周縁形状が逓次的に縮幅されて尖頭11ａが形成されている一方、他端部12の周縁形状は切断状または円弧状に形成されており、
この付加チップ１を、前記各ガイドスラット部材Ａの間に、尖頭11ａが誘導方向を指すように載置固定することによって、
当該付加チップ１の先端部11の尖頭11ａ方向にガイドスラット部材Ａを順次辿ることによって、当該建造物における最短距離の出入口Ｅに到達可能にすることを特徴とする建造物内の誘導床材敷設構造における付加式避難誘導指示具。
【請求項２】
建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方、これらの列成されたガイドスラット部材Ａの一端部に付加的に設置することによって避難方向を指示するための付加チップ１であって、
この付加チップ１は、先端部11の周縁形状が逓次的に縮幅されて尖頭11ａが形成されている一方、他端部12の周縁形状は切断状または円弧状に形成されており、
この付加チップ１の他端部12を各ガイドスラット部材Ａの一端部に継足し配置して、尖頭11ａが誘導方向を指すように載置固定することによって、
当該付加チップ１の先端部11の尖頭11ａ方向にガイドスラット部材Ａを順次辿ることによって、当該建造物における最短距離の出入口Ｅに到達可能にすることを特徴とする建造物内の誘導床材敷設構造における付加式避難誘導指示具。
【請求項３】
付加チップ１の裏側に止着突起13が形成されており、建造物床面に成形された孔部に挿入して載置固定可能であることを特徴とする請求項１または２記載の建造物内の誘導床材敷設構造における付加式避難誘導指示具。
【請求項４】
付加チップ１の周縁部がテーパ状に面取りされていることを特徴とする請求項１〜３の何れか一つに記載の建造物内の誘導床材敷設構造における付加式避難誘導指示具。
【請求項５】
付加チップ１の使用材料が、金属、樹脂、タイル、石材の何れか単体あるいは混合物であることを特徴とする請求項１〜４の何れか一つに記載の建造物内の誘導床材敷設構造における付加式避難誘導指示具。
【考案の詳細な説明】
【技術分野】
【０００１】
本考案は、建造物構造の改良、更に詳しくは、建造物の内部において敷設されている既存の誘導用床材を有効に利用しつつも、簡素な設置工程で、建造物における最短距離の出入口への適切な誘導作用を得ることができる建造物内の誘導床材敷設構造における付加式避難誘導指示具に関するものである。
【背景技術】
【０００２】
周知のとおり、路上や各施設の屋内外には、視覚障害者を補助するために、棒状や点状の突起を表面に有する誘導用床材（所謂、「点字ブロック」や「点字鋲」）が敷設されており、近年では、法の整備や社会のバリアフリー化が推進され、急速に公共建築物や交通機関にも設置されるに至っている。
【０００３】
そして、かかる誘導用床材が敷設されていることにより、視覚障害者は、この誘導用床材の突起の感触を足裏で確かめながら、更に必要に応じて、突いている杖の先端を進行方向の前方で左右に摺動させて障害物が無いのを確認しつゝ、その上を歩行することができる。
【０００４】
一方で、かかる誘導用床材は、健常者や高齢者にとっては、その突起によって躓くことがあり、また、車イスの走行中に車輪が引っ掛かることもあるため、有用性に乏しく、却って通行を妨害するものとも認識されかねない。
【０００５】
そこで、本考案者は、かかる誘導用床材が、視覚障害者のためにしか貢献しておらず、健常者や高齢者などの歩行者や、車イス使用者にとって邪魔者扱いとされている現状に対し、特に健常者にとっても何らか有用性を見出せないものかと日々思案していたところ、地下鉄の駅構内などの閉鎖空間において火災が発生するなどの緊急時には、避難方向を示すための誘導灯が、熱風により焼け落ちたり、煙で見えなかったり、あるいは、猛煙により目を開けることすらできない状態となり、健常者といえども視覚を奪われた盲目状態となるであろうと考えた。また、この状況は、停電により暗闇になる場合も想定される。
【０００６】
そして、前記誘導用床材が、通常、施設内における入口から所定の利用施設までを案内するために敷設されていることから、必ず出口方向に誘導されるという点に着目し、突起形状の手でも触れながら方向を確認できるものであれば、たとえ視界を奪われた火災等の緊急時であっても、足や手の触覚を頼りに最寄りの出入口への避難方向を認知することができるであろうとの着想を得たことから、嘗て、床材の突起形状を設計した上で、建造物に敷設する避難誘導指示構造を開発した（特許文献１参照）。
【０００７】
しかしながら、かかる避難誘導指示構造を施工するためには、この誘導用床材と既存の誘導ブロックとを交換する新たな設置工事を行うか、または対称形状であった既存の誘導用床材におけるガイドスラット部材の一方の端部を切除するなどの工事が必要となり、コストが嵩んでしまうという問題があった。
【特許文献１】登録実用新案第３１３１８０２号公報  （第５−６頁、図１−９）
【考案の開示】
【考案が解決しようとする課題】
【０００８】
本考案は、従来の避難誘導指示構造に上記のような問題があったことに鑑みて為されたものであり、その目的とするところは、建造物の内部において敷設されている既存の誘導ブロックを有効に利用しつつも、簡素な設置工程で、建造物における最短距離の出入口への適切な誘導作用を得ることができる建造物内の誘導床材敷設構造における付加式避難誘導指示具を提供することにある。
【課題を解決するための手段】
【０００９】
本考案者が上記課題を解決するために採用した手段を、添付図面を参照して説明すれば次のとおりである。
【００１０】
即ち、本考案は、建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方、これらの列成されたガイドスラット部材Ａの間に付加的に設置することによって避難方向を指示することができる付加チップ１であって、この付加チップ１は、先端部11の周縁形状を逓次的に縮幅して尖頭11ａを形成する一方、他端部12の周縁形状を切断状または円弧状に形成し、この付加チップ１を、前記各ガイドスラット部材Ａの間に、尖頭11ａが誘導方向を指すように載置固定することによって、当該付加チップ１の先端部11の尖頭11ａ方向にガイドスラット部材Ａを順次辿ることによって、当該建造物における最短距離の出入口Ｅに到達可能にするという技術的手段を採用することによって、建造物内の誘導床材敷設構造における付加式避難誘導指示具を完成させた。
【００１１】
また、本考案は、建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方、これらの列成されたガイドスラット部材Ａの一端部に付加的に設置することによって避難方向を指示するための付加チップ１であって、この付加チップ１は、先端部11の周縁形状を逓次的に縮幅して尖頭11ａを形成する一方、他端部12の周縁形状を切断状または円弧状に形成し、この付加チップ１の他端部12を各ガイドスラット部材Ａの一端部に継足し配置して、尖頭11ａが誘導方向を指すように載置固定することによって、当該付加チップ１の先端部11の尖頭11ａ方向にガイドスラット部材Ａを順次辿ることによって、当該建造物における最短距離の出入口Ｅに到達可能にすることによって、建造物内の誘導床材敷設構造における付加式避難誘導指示具を完成させることもできる。
【００１２】
また、本考案は、上記課題を解決するために、必要に応じて上記手段に加え、付加チップ１の裏側に止着突起13を形成して、建造物床面に成形された孔部に挿入して載置固定可能にするという技術的手段を採用することができる。
【００１３】
更にまた、本考案は、上記課題を解決するために、必要に応じて上記手段に加え、付加チップ１の周縁部をテーパ状に面取りするという技術的手段を採用することができる。
【００１４】
更にまた、本考案は、上記課題を解決するために、必要に応じて上記手段に加え、付加チップ１の使用材料を、金属、樹脂、タイル、石材の何れか単体あるいは混合物にするという技術的手段を採用することができる。
【考案の効果】
【００１５】
本考案は、建造物の内部における床面上面に、複数の細幅かつ左右対称のガイドスラット部材が所定間隔毎に平行に列成して、かつ、長手方向に通路状に連設されてなる誘導用床材敷設構造が形成されている一方、これらの列成されたガイドスラット部材の間または一端部に付加的に設置することによって避難方向を指示することができる付加チップであって、
この付加チップは、先端部の周縁形状を逓次的に縮幅して尖頭を形成する一方、他端部の周縁形状は切断状または円弧状に形成して、この付加チップを、前記各ガイドスラット部材の間または一端部に、尖頭が誘導方向を指すように載置固定することによって、当該付加チップの先端部の尖頭方向にガイドスラット部材を順次辿ることによって、当該建造物における最短距離の出入口に到達することができる。
【００１６】
したがって、本考案の付加式避難誘導指示具によれば、建造物の内部において敷設されている既存の誘導ブロックを有効に利用しつつも、簡素な設置工程で、建造物における最短距離の出入口への適切な誘導作用を得ることができることから、実用的利用価値は頗る高いものがある。
【考案を実施するための最良の形態】
【００１７】
本考案を実施するための最良の形態を具体的に図示した図面に基づいて更に詳細に説明すると、次のとおりである。
【００１８】
『第１実施形態』
本考案の第１実施形態を図１から図５に基づいて説明する。図中、符号１で指示するものは付加チップであり、この付加チップ１は、先端部11の周縁形状が逓次的に縮幅されて尖頭11ａが形成されている一方、他端部12の周縁形状は切断状または円弧状に形成されている。
【００１９】
しかして、本考案は、建造物の内部における床面上面に、複数の細幅かつ左右対称のガイドスラット部材Ａが所定間隔毎に平行に列成して、かつ、長手方向に通路状に連設されてなる誘導用床材敷設構造が形成されている一方で、これらの列成されたガイドスラット部材Ａの間に付加的に設置することによって避難方向を指示することができる部材であって、以下のように構成する。
【００２０】
まず、前記のとおり、付加チップ１を、先端部11の周縁形状を逓次的に縮幅して尖頭11ａを形成する一方、本実施形態では、他端部12の周縁形状を切断状に形成して略三角形状を呈するように作製する（図１および図２参照）。
【００２１】
なお、本実施形態では、図３に示すように、付加チップ１の裏側にピン状の止着突起13を形成して、建造物床面に成形した孔部に挿入して載置固定することができる。この際、止着突起13を付加チップ１の裏側に一体成形して突成することもできるし、止着突起13をダボ状にして、かつ、付加チップ１の裏側にも孔部を設けて、この止着突起13を床面の孔部との両方に挿入して接着剤等で固定することもできる。
【００２２】
次いで、図４に示すように、この付加チップ１を、前記各ガイドスラット部材Ａ（本実施形態では４枚）の間に、尖頭11ａが誘導方向を指すようにしてそれぞれ載置固定する。本実施形態では、これらの付加チップ１をガイドスラット部材Ａの先端付近に互い違いに少しずらして固定することによって、突いている杖の先端を前方で左右に摺動させて歩行する場合であっても、当該付加チップ１による干渉が少ない。
【００２３】
また、付加チップ１の他端部12の周縁形状を切断状に形成する。このようにすることによって、この付加チップ１の各端部における形状の差異を明確化することができ、完全に視界を奪われた状態であっても、触覚を頼りに避難方向を確実に認識することができる。
【００２４】
そして、図５に示すように、建造物の内部における床面上面に、ガイドスラット部材Ａによる誘導用床材敷設構造において、これらの列成されたガイドスラット部材Ａの間に付加的に設置することによって、前記付加チップ１の先端部11の尖頭11ａ方向にガイドスラット部材Ａを順次辿ることによって、当該建造物における最短距離の出入口Ｅに到達することができ、避難方向を指示することができるのである。この際、複数の出入口Ｅがある場合には、各出入口Ｅへの距離がそれぞれ異なるため、最短距離となる方に付加チップ１の先端部11の尖頭11ａ方向が異なる境界部分が形成されることになる。
【００２５】
なお、本実施形態では、付加チップ１の周縁部をテーパ状に面取りすることもでき、躓き難くすることもできる。
【００２６】
また、本実施形態では、誘導用板材１の使用材料を、金属、樹脂、タイル、石材の何れか単体あるいはこれらの材料を組み合わせた混合物（ハイブリッド材料）にすることができ、具体的には、金属材料としては、真鍮、ステンレス、アルミニウムなど、また、樹脂材料としては、エチレンプロピレンゴム、ブタジエンゴム、スチレンブタジエンゴムなどのゴム材料やポリエチレン、ポリプロピレン、ポリ塩化ビニールなど、更にまた、石材として、コンクリート、モルタル、セラミックスなどを採用することができる。
【００２７】
『第２実施形態』
次に、本考案の第２実施形態を図６に基づいて説明する。本実施形態では、建造物の内部における床面上面に、複数の細幅かつ左右対称のガイドスラット部材Ａが所定間隔毎に平行に列成して、かつ、長手方向に通路状に連設されてなる誘導用床材敷設構造が形成されている点については、前記第１実施形態と同様であるが、付加チップ１をこれらの列成されたガイドスラット部材Ａの一端部に付加的に設置する点に特徴がある。
【００２８】
即ち、このように構成したことにより、図６に示すように、この付加チップ１の他端部12をガイドスラット部材Ａの一端部に継足し配置して、尖頭11ａが誘導方向を指すように載置固定することによって、当該付加チップ１の先端部11の尖頭11ａ方向にガイドスラット部材Ａを順次辿ることによって、当該建造物における最短距離の出入口Ｅに到達することができる。
【００２９】
本考案は、概ね上記のように構成されるが、図示の実施形態に限定されるものでは決してなく、「実用新案登録請求の範囲」の記載内において種々の変更が可能であって、例えば、付加チップ１の先端部11の尖頭11ａと他端部12とは、指向方向を触覚的に識別できるものであれば良く、他端部12を円弧形状にすることもできる。
【００３０】
また、付加部材１の配置についても、図示のものに限らず、尖頭11ａが建造物における最短距離の出入口Ｅの方向を指示していれば、位置および数量を変更することもでき、これら何れのものも本考案の技術的範囲に属する。
【産業上の利用可能性】
【００３１】
本考案では、連続的に敷設した誘導用床材におけるガイドスラット部材の間または一端部に載置固定した付加チップの指向形状に技術的意義があり、避難誘導の効果を十分に発揮することができる。
【００３２】
また、ガイドスラット部材が列成する点で点字ブロックとしての基本的形状を具備しており、この機能は損ねていないので、杖を用いた歩行の際にも、従来のように、杖の先端を左右に振って誘導用床材の存在を確認することができて、頗る有効である。
【００３３】
今後、火災の発生には、地震や人為的なテロなど様々な要因も考えられることから、本考案は、視覚障害者だけでなく、健常者にとっても有効利用が可能な避難誘導標示手段として社会的に認知されるべきものであり、鉄道や地下鉄の駅構内、大規模な地下街や大型ビルなど、国内外を問わず、広く産業上に利用可能であると云える。
【図面の簡単な説明】
【００３４】
【図１】本考案の第１実施形態の付加式避難誘導指示具を表わす上面図である。
【図２】本考案の第１実施形態の付加式避難誘導指示具を表わす斜視図である。
【図３】本考案の第１実施形態の付加式避難誘導指示具を表わす側面図である。
【図４】本考案の第１実施形態の付加式避難誘導指示具の使用状態を表わす上面図である。
【図５】本考案の第１実施形態の付加式避難誘導指示具の使用状態を表わす上面図である。
【図６】本考案の第２実施形態の付加式避難誘導指示具の使用状態を表わす上面図である。
【符号の説明】
【００３５】
１    付加チップ
11    先端部
11ａ  尖頭
12    他端部
13    止着突起
Ａ    ガイドスラット部材
Ｅ    出入口
【図１】
0003148930.tif 000003
【図２】
0003148930.tif 000004
【図３】
0003148930.tif 000005
【図４】
0003148930.tif 000006
【図５】
0003148930.tif 000007
【図６】
0003148930.tif 000008